(57)【要約】【課題】  水平材が上下に架設されている場合でも柱材を設置することができ、施工が容易で微調整可能な柱端部の接合構造、柱の固定構造、及び柱端部の接合方法を提供する。【解決手段】柱端部の接合構造１ａは、端面に長さ方向へ延びる挿入孔５と当該挿入孔５に直交する第一ピン孔１１とを有する柱３と、挿入孔５に全体が挿入可能で、挿入孔５から一部が突出した状態で固定された連結体６ａと、連結体６ａを柱３に固定する第一ドリフトピン８と、突出した前記連結体６ａが挿入された固定孔７と、固定孔７に直交する第二ピン孔１５とを有する水平材４ａと、連結体６ａを水平材４ａに固定する第二ドリフトピン９と、を備え、柱３には端面から長さ方向へ向かって連結体６ａの突出長さ以上のスリット１０が形成されており、当該スリット１０は柱３の長さ方向から見て第一ドリフトピン８に直交するように形成される。【選択図】図３
2018162582.tif 000002
【特許請求の範囲】
【請求項１】
端面に長さ方向へ延びる挿入孔と当該挿入孔に直交する第一ピン孔とを有する柱と、
前記挿入孔に全体が挿入可能な長さであり、前記挿入孔から一部が突出した状態で固定された連結体と、
前記第一ピン孔に挿入された状態で前記連結体を当該柱に固定する第一ドリフトピンと、
前記挿入孔から突出した前記連結体が挿入された固定孔と、前記固定孔に直交する第二ピン孔とを有する水平材と、
前記第二ピン孔に挿入された状態で前記連結体を当該水平材に固定する第二ドリフトピンと、を備え、
前記柱には端面から長さ方向へ向かって前記連結体の突出長さ以上のスリットが形成されており、当該スリットは前記柱の長さ方向から見て前記第一ドリフトピンに直交するように形成されることを特徴とする柱端部の接合構造。
【請求項２】
前記第一ドリフトピンは前記スリットの前記柱の長さ方向における中央側の縁と接する、又は当該縁よりも前記柱の長さ方向における中央側に配置されることを特徴とする請求項１に記載の柱端部の接合構造。
【請求項３】
上下１対の水平材の間に設けられる柱の固定構造であって、
柱頭及び柱脚の接合構造が請求項１又は請求項２に記載の柱端部の接合構造であることを特徴とする柱の固定構造。
【請求項４】
端面に長さ方向へ延びる挿入孔と当該挿入孔に直交する第一ピン孔とが形成された第一柱と、
前記挿入孔に全体が挿入可能な長さであり、前記挿入孔から一部が突出した状態で固定された連結体と、
前記第一ピン孔に挿入された状態で前記連結体を当該第一柱に固定する第一ドリフトピンと、
前記挿入孔から突出した前記連結体が貫通し、当該連結体の一部がさらに突出する貫通孔を有する水平材と、
前記貫通孔から突出する前記連結体の端部を挿入する受け孔と、前記受け孔に直交する第三ピン孔とを有する第二柱と、
前記第三ピン孔に挿入された状態で前記連結体を当該第二柱に固定する第三ドリフトピンと、
を備え、
前記第一柱には端面から長さ方向へ向かって前記連結体の前記挿入孔からの突出長さ以上のスリットが形成されており、当該スリットは前記第一柱の長さ方向から見て前記第一ドリフトピンに直交するように形成されることを特徴とする柱端部の接合構造。
【請求項５】
前記水平材は前記貫通孔に直交する第二ピン孔をさらに有し、
前記第二ピン孔に挿入された状態で前記連結体を当該水平材に固定する第二ドリフトピンをさらに備えることを特徴とする請求項４に記載の柱端部の接合構造。
【請求項６】
端面から長さ方向へ延びる挿入孔と、端面から長さ方向へ向かって前記挿入孔と側面とを繋ぐように形成されるスリットと、前記挿入孔に直交するとともに鉛直方向から見てスリットに直交するように形成された第一ピン孔とを有する柱を、
前記柱との接合位置に鉛直方向に掘られた固定孔が形成されるとともに、前記固定孔に直交する第二ピン孔が形成される水平材に接合する柱端部の接合方法であって、
長手形状の連結体の全体を前記挿入孔に挿入する工程と、
前記水平材の前記柱との接合位置に前記柱の端部を配置する工程と、
前記スリットから長細い工具を挿入させて、前記連結体に設けられた操作孔に当該工具を挿入する工程と、
前記工具を前記柱の長さ方向に移動させることにより、前記連結体を前記挿入孔から突出させるとともに前記水平材の前記固定孔に前記連結体の突出部分を挿入する工程と、
第一ドリフトピンを前記第一ピン孔を通して前記連結体に設けられた第一連結孔に挿入するとともに、第二ドリフトピンを前記第二ピン孔を通して前記連結体に設けられた第二連結孔に挿入する工程と、
を備えることを特徴とする柱端部の接合方法。
【請求項７】
端面から長さ方向へ延びる挿入孔と、端面から長さ方向へ向かって前記挿入孔と側面とを繋ぐように形成されるスリットと、前記挿入孔に直交するとともに鉛直方向から見てスリットに直交するように形成された第一ピン孔とを有する第一柱、
及び、端面から長さ方向へ延びる受け孔を有するとともに当該受け孔に直交する第三ピン孔を有する第二柱を、
鉛直な貫通孔が形成される水平材の上下に接合する柱端部の接合方法であって、
長手形状の連結体の全体を前記挿入孔に挿入する工程と、
前記水平材の前記第一柱及び前記第二柱との接合位置にそれぞれ当該第一柱及び当該第二柱の端部を配置する工程と、
前記スリットから長細い工具を挿入させて、前記連結体に設けられた操作孔に当該工具を挿入する工程と、
前記工具を前記第一柱の長さ方向に移動させることにより、前記連結体を前記挿入孔から突出させ、前記水平材の前記貫通孔を通して、前記第二柱の受け孔に前記連結体の突出部分を挿入する工程と、
第一ドリフトピンを前記第一ピン孔を通して前記連結体に設けられた第一連結孔に挿入し、第三ドリフトピンを前記第三ピン孔を通して前記連結体に設けられた第三連結孔に挿入する工程と、
を備えることを特徴とする柱端部の接合方法。
【請求項８】
前記水平材は前記貫通孔に直交する第二ピン孔をさらに有しており、
第二ドリフトピンを前記第二ピン孔を通して前記連結体に設けられた第二連結孔に挿入する工程をさらに備えることを特徴とする請求項７に記載の柱端部の接合方法。

【発明の詳細な説明】
【技術分野】
【０００１】
本発明は、柱を、水平材に接合する柱端部の接合構造、当該柱端部の接合構造を有する柱の固定構造、及び柱端部を水平材に接合する柱端部の接合方法に関する。
【背景技術】
【０００２】
従来より、梁、桁、土台などの木製の水平材の上面又は下面に木製の柱の端部を連結体を介して接合する接合構造が知られている。このような構造としては、柱と水平材の接合位置にそれぞれホゾ孔を加工し、これらホゾ孔内に収納された鋼製の連結体をドリフトピンで柱及び水平材に固定することによって、柱端部を水平材に接合している。
【０００３】
ところで上述のような連結体を介した接合構造では、一旦柱端部に設けられたホゾ孔に連結体の一部分を挿入して固定し、当該柱端部のホゾ孔から突出している連結体の他の部分を水平材に設けられたホゾ孔に挿入する必要がある。したがって、水平材が既に上下に架設されている場合には連結体の柱端部から突出した部分が邪魔になって柱を水平材の接合位置に設置することができないので、この方法を採用することができない。
【０００４】
そこで、例えば特許文献１又は特許文献２に示すように、柱端部に形成されたホゾ孔を連結体の全体が挿入可能な長さに形成し、全体が挿入された状態で柱端部を水平材の接合位置に配置し、その後、連結体をホゾ孔内で摺動させて、柱端部から一部を突出させ、当該連結体の一部を水平材のホゾ孔内に挿入させた状態でドリフトピンにより柱と連結体及び水平材と連結体をそれぞれ固定して、柱端部を水平材に接合する構造が提案されている。これらの構造は柱端部のホゾ孔内に挿入された連結体を摺動させるために、連結体に操作紐を取り付けておき、当該操作紐の端部を引くことで連結体を摺動させている。
【先行技術文献】
【特許文献】
【０００５】
【特許文献１】特開２００５−２３６２２号公報
【特許文献２】特開２００６−１５２７２１号公報
【発明の概要】
【発明が解決しようとする課題】
【０００６】
しかし、操作紐を予めセットしておく作業や当該操作紐を引いて連結体を摺動させる作業は煩わしく、また、一旦引いた操作紐は元に戻すことはできないので、連結体のドリフトピンを受け入れる孔の位置と柱及び水平材のピン孔の位置とがずれた場合に微調整することができない。
【０００７】
そこで本発明は、水平材が上下に架設されている場合でも柱材を設置することができ、施工が容易で微調整可能な柱端部の接合構造、柱の固定構造、及び柱端部の接合方法を提供することを目的とする。
【課題を解決するための手段】
【０００８】
本発明の柱端部の接合構造は、端面に長さ方向へ延びる挿入孔と当該挿入孔に直交する第一ピン孔とを有する柱と、前記挿入孔に全体が挿入可能な長さであり、前記挿入孔から一部が突出した状態で固定された連結体と、前記第一ピン孔に挿入された状態で前記連結体を当該柱に固定する第一ドリフトピンと、前記挿入孔から突出した前記連結体が挿入された固定孔と、前記固定孔に直交する第二ピン孔とを有する水平材と、前記第二ピン孔に挿入された状態で前記連結体を当該水平材に固定する第二ドリフトピンと、を備え、前記柱には端面から長さ方向へ向かって前記連結体の突出長さ以上のスリットが形成されており、当該スリットは前記柱の長さ方向から見て前記第一ドリフトピンに直交するように形成されることを特徴としている。
【０００９】
本発明の柱端部の接合構造は、前記第一ドリフトピンは前記スリットの前記柱の長さ方向における中央側の縁と接する、又は当該縁よりも前記柱の長さ方向における中央側に配置されることを特徴としている。
【００１０】
本発明の柱の固定構造は、上下１対の水平材の間に設けられる柱の固定構造であって、柱頭及び柱脚の接合構造が上述のいずれかの柱端部の接合構造であることを特徴としている。
【００１１】
本発明の柱端部の接合構造は、端面に長さ方向へ延びる挿入孔と当該挿入孔に直交する第一ピン孔とが形成された第一柱と、前記挿入孔に全体が挿入可能な長さであり、前記挿入孔から一部が突出した状態で固定された連結体と、前記第一ピン孔に挿入された状態で前記連結体を当該第一柱に固定する第一ドリフトピンと、前記挿入孔から突出した前記連結体が貫通し、当該連結体の一部がさらに突出する貫通孔を有する水平材と、前記貫通孔から突出する前記連結体の端部を挿入する受け孔と、前記受け孔に直交する第三ピン孔とを有する第二柱と、前記第三ピン孔に挿入された状態で前記連結体を当該第二柱に固定する第三ドリフトピンと、を備え、前記第一柱には端面から長さ方向へ向かって前記連結体の前記挿入孔からの突出長さ以上のスリットが形成されており、当該スリットは前記第一柱の長さ方向から見て前記第一ドリフトピンに直交するように形成されることを特徴としている。
【００１２】
本発明の柱端部の接合構造は、前記水平材は前記貫通孔に直交する第二ピン孔をさらに有し、前記第二ピン孔に挿入された状態で前記連結体を当該水平材に固定する第二ドリフトピンをさらに備えることを特徴としている。
【００１３】
本発明の柱端部の接合方法は、端面から長さ方向へ延びる挿入孔と、端面から長さ方向へ向かって前記挿入孔と側面とを繋ぐように形成されるスリットと、前記挿入孔に直交するとともに鉛直方向から見てスリットに直交するように形成された第一ピン孔とを有する柱を、前記柱との接合位置に鉛直方向に掘られた固定孔が形成されるとともに、前記固定孔に直交する第二ピン孔が形成される水平材に接合する柱端部の接合方法であって、長手形状の連結体の全体を前記挿入孔に挿入する工程と、前記水平材の前記柱との接合位置に前記柱の端部を配置する工程と、前記スリットから長細い工具を挿入させて、前記連結体に設けられた操作孔に当該工具を挿入する工程と、前記工具を前記柱の長さ方向に移動させることにより、前記連結体を前記挿入孔から突出させるとともに前記水平材の前記固定孔に前記連結体の突出部分を挿入する工程と、第一ドリフトピンを前記第一ピン孔を通して前記連結体に設けられた第一連結孔に挿入するとともに、第二ドリフトピンを前記第二ピン孔を通して前記連結体に設けられた第二連結孔に挿入する工程と、を備えることを特徴としている。
【００１４】
本発明の柱端部の接合方法は、端面から長さ方向へ延びる挿入孔と、端面から長さ方向へ向かって前記挿入孔と側面とを繋ぐように形成されるスリットと、前記挿入孔に直交するとともに鉛直方向から見てスリットに直交するように形成された第一ピン孔とを有する第一柱、及び、端面から長さ方向へ延びる受け孔を有するとともに当該受け孔に直交する第三ピン孔を有する第二柱を、鉛直な貫通孔が形成される水平材の上下に接合する柱端部の接合方法であって、長手形状の連結体の全体を前記挿入孔に挿入する工程と、前記水平材の前記第一柱及び前記第二柱との接合位置にそれぞれ当該第一柱及び当該第二柱の端部を配置する工程と、前記スリットから長細い工具を挿入させて、前記連結体に設けられた操作孔に当該工具を挿入する工程と、前記工具を前記第一柱の長さ方向に移動させることにより、前記連結体を前記挿入孔から突出させ、前記水平材の前記貫通孔を通して、前記第二柱の受け孔に前記連結体の突出部分を挿入する工程と、第一ドリフトピンを前記第一ピン孔を通して前記連結体に設けられた第一連結孔に挿入し、第三ドリフトピンを前記第三ピン孔を通して前記連結体に設けられた第三連結孔に挿入する工程と、を備えることを特徴としている。
【００１５】
本発明の柱端部の接合方法は、前記水平材は前記貫通孔に直交する第二ピン孔をさらに有しており、第二ドリフトピンを前記第二ピン孔を通して前記連結体に設けられた第二連結孔に挿入する工程をさらに備えることを特徴としている。
【発明の効果】
【００１６】
本発明の柱端部の接合構造によると、連結体は、柱端面に形成された挿入孔から一部が突出した状態で第一ドリフトピンにより柱に固定されており、連結体の挿入孔から突出した部分は水平材の固定孔に挿入されて第二ドリフトピンにより水平材に固定されているので、柱と水平材とを強固に接合することができる。そして、連結体は柱の端面に形成された挿入孔にその全体が挿入可能な長さであるとともに、柱には端面から当該柱の長さ方向へ向かって連結体の突出長さ以上の長さを有するスリットが形成されているので、柱と水平材とを接合する際には、スリットに細長い工具を差し込んで連結体を当該スリットに沿って摺動させることによって、連結体の全体が挿入孔に挿入された状態から連結体の一部が挿入孔から突出した状態まで簡単に移動させることができるとともに、連結体の第一及び第二ドリフトピンを受け入れる孔の位置と柱及び水平材のピン孔の位置とがずれた場合にも簡単に微調整することができ、施工性に優れた柱端部の接合構造とすることができる。また、スリットは柱の長さ方向から見て第一ドリフトピンに直交するように形成されるので、スリットを形成したことによる柱端部の接合耐力の低下を極力抑えることができる。
【００１７】
本発明の柱端部の接合構造によると、第一ドリフトピンはスリットの柱の長さ方向における中央側の縁と接する、又は当該縁よりも柱の長さ方向における中央側に配置されるので、第一ドリフトピンよりも柱の中央側にはスリットが形成されておらず、柱の断面欠損を最小限にすることができ、柱端部の接合耐力を高めることができる。
【００１８】
本発明の柱の固定構造によると、上下１対の水平材の間に設けられる柱を設ける構造であって、柱頭及び柱脚の接合構造を上述の柱端部の接合構造としているので、連結体の全体を挿入孔に挿入した状態で、柱端部から連結体の一部を突出させることなく１対の水平材の間に柱を配置することができるので、連結体が邪魔になることなく１対の水平材の間に柱を固定することができる。また、柱と水平材とを接合する際には、スリットに細長い工具を差し込んで連結体を当該スリットに沿って摺動させることで、連結体を簡単に移動させることができるとともに、連結体の第一及び第二ドリフトピンを受け入れる孔の位置と柱及び水平材のピン孔の位置とがずれた場合にも簡単に微調整することができる。
【００１９】
本発明の柱端部の接合構造によると、第一柱に設けられた挿入孔から一部が突出した状態で第一ドリフトピンにより当該第一柱に固定された連結体の突出した部分が、水平材を貫通して、さらに一部が第一柱と反対側に突出し、第二柱の端面に形成された受け孔に挿入され、第三ドリフトピンにより第二柱に固定されるので、１本の連結体によって第一柱、水平材、及び第二柱を接合することができる。そして、第一柱には端面から長さ方向へ向かって連結体の突出長さ以上のスリットが形成されているので、第一柱、水平材、及び第二柱を接合する際には、スリットに細長い工具を差し込んで連結体を当該スリットに沿って摺動させることによって、連結体の全体が挿入孔に挿入された状態から連結体の一部が挿入孔から突出した状態まで簡単に移動させることができ、連結体の第一、及び第三ドリフトピンを受け入れる孔の位置と第一ピン孔、第三ピン孔の位置とがずれた場合にも簡単に微調整することができ、施工性に優れた柱端部の接合構造とすることができる。
【００２０】
本発明の柱端部の接合構造によると、水平材が貫通孔に直交する第二ピン孔を有しており、第二ドリフトピンが第二ピン孔に挿入された状態で連結体を水平材に固定するので、水平材と連結体との固定が強固なものとなり、第一柱及び第二柱と水平材との接合耐力をより高めることができる。
【００２１】
本発明の柱端部の接合方法によると、連結体を挿入孔に挿入した状態で水平材の柱との接合位置に柱の端部を配置するので、連結体がサッシュや外装材などの他の部材と干渉することなく接合位置に柱を配置することができる。そして工具を柱の長さ方向に移動させることにより、連結体を挿入孔から突出させ、水平材の固定孔に連結体の突出部分を挿入して、第一ドリフトピンを第一ピン孔を通して第一連結孔に挿入し、第二ドリフトピンを第二ピン孔を通して第二連結孔に挿入するので、簡単に柱と水平材とを連結することができる。また、スリットから細長い工具を挿入させて連結体を操作するものであるので、工具の操作によって連結体の位置を微調整することができる。
【００２２】
本発明の柱端部の接合方法によると、連結体の全体を挿入孔に挿入して、水平材との接合位置に第一柱の端部を配置するので、連結体がサッシュや外装材と干渉することなく容易に配置することができる。また、連結体を摺動させて、第一柱の挿入孔から一部が挿入して水平材を貫通し、第二柱の受け孔に挿入された状態で、第一、及び、第三ドリフトピンにより第一柱、水平材、及び第二柱を接合することができ、施工を容易なものにすることができる。また、スリットから細長い工具を挿入させて連結体を操作するものであるので、工具の操作によって連結体の位置を微調整することができる。
【００２３】
本発明の柱端部の接合方法によると、第二ドリフトピンによって、連結体を水平材に固定するので、水平材と連結体との固定が強固なものとなり、第一柱及び第二柱と水平材との接合耐力をより高めることができる。
【図面の簡単な説明】
【００２４】
【図１】第一実施形態の柱の固定構造の全体構成を示す図。
【図２】柱頭における柱端部の接合構造を説明する断面図であり、（Ａ）は挿入孔に連結体の全体が挿入されており、（Ｂ）は挿入孔から連結体の一部が突出した状態を示している。
【図３】柱頭における柱端部の接合構造を説明する分解斜視図。
【図４】柱脚における柱端部の接合構造を説明する断面図であり、（Ａ）は挿入孔に連結体の全体が挿入されており、（Ｂ）は挿入孔から連結体の一部が突出した状態を示している。
【図５】柱脚における柱端部の接合構造を説明する分解斜視図。
【図６】上下一対の水平材の間に柱を配置する状態を示す斜視図。
【図７】スリットに細長い工具を挿入する前の状態を示す斜視図。
【図８】スリットに細長い工具を挿入する前の状態を示す断面図。
【図９】スリットに細長い工具を挿入した状態を示す断面図。
【図１０】工具を柱の長さ方向に移動させて、連結体を挿入孔から突出させた状態を示す断面図。
【図１１】第一ドリフトピン及び第二ドリフトピンにより水平材に柱端部を接合する状態を示す斜視図。
【図１２】第二実施形態の柱端部の接合構造の構成を示す分解斜視図。
【図１３】第二実施形態の柱端部の接合構造の連結体が挿入孔内に挿入された状態であり、スリットから工具を連結体の操作孔に挿入した状態を示す断面図。
【図１４】工具を水平材側に移動させることにより連結体の一部を挿入孔から突出させて、水平材の貫通孔及び第二柱の受け孔に挿入した状態を示す断面図。
【発明を実施するための形態】
【００２５】
〔第一実施形態〕
以下、本発明に係る柱端部の接合構造１ａ、当該柱端部の接合構造１ａを用いた柱の固定構造２、及び柱端部の接合方法の第一実施形態について、図１から図１１を参照しつつ説明する。柱端部の接合構造１ａは、木製の柱３の上端部又は下端部を木製の水平材４ａに接合する構造であり、水平材４ａは、例えば梁、桁、土台などの構造材である。なお本実施形態の柱の固定構造２においては、柱３の上端部及び下端部がともに本発明の柱端部の接合構造１ａを有する構成であるが、柱端部の接合構造１ａは、柱３の上端部又は下端部のいずれかに用いるものであればよく、必ずしも上下両端に本発明の柱端部の接合構造１ａを用いるものでなくても良い。
【００２６】
柱端部の接合構造１ａを用いた柱の固定構造２は、図１に示すように、上下一対の水平材４ａと、これら一対の水平材４ａの間に設けられる鉛直な柱３とを有する。柱頭の柱端部の接合構造１ａは、上側の水平材４ａの下面に柱３の上端が当接する接合構造であり、柱脚の柱端部の接合構造１ａは、下側の水平材４ａの上面に柱３の下端が当接する接合構造である。
【００２７】
柱端部の接合構造１ａは、本実施形態においては図２及び図４に示すように、柱頭の接合構造と柱脚の接合構造とが上下を逆転した同一形状に形成されている。なお、柱頭の接合構造及び柱脚の接合構造は同一形状のものに限定されるものではない。柱頭における柱端部の接合構造１ａは、図２及び図３に示すように、柱３と、柱３に形成された挿入孔５に挿入可能な連結体６ａと、連結体６ａの上端を受ける固定孔７を下面に有する水平材４ａと、連結体６ａを柱３に固定する第一ドリフトピン８と、連結体６ａを水平材４ａに固定する第二ドリフトピン９とを備えている。
【００２８】
柱３の柱頭には、上端面の中央から柱３の長さ方向である下方向へ向かって円柱状に穿がたれて延びる挿入孔５が形成されている。また、上端面から柱３の長さ方向である下方向へは、平板状の溝であるスリット１０が形成されている。スリット１０は挿入孔５を左右に分割するように形成されている。また、柱３の柱頭には一方の側面から他方の側面に貫通する第一ピン孔１１が形成されており、第一ピン孔１１は挿入孔５に直交するように形成されている。また、第一ピン孔１１は柱３の長さ方向から見てスリット１０に直交するように形成されている。ここで、柱３の長さ方向から見て直交するとは、柱３の上方又は下方から見た場合に第一ピン孔１１とスリット１０とが直角に交わるように見えることをいい、第一ピン孔１１とスリット１０とが実際に直交している場合のほか、実際には上下方向に離れている場合を含む。
【００２９】
第一ピン孔１１は、図２（Ｂ）に示すように、柱３の長さ方向における位置がスリット１０の柱３の中央側の縁に当該第一ピン孔１１の外周面が接する位置に形成されている。これによって第一ピン孔１１よりも柱３の長さ方向の中央側には、スリット１０が形成されておらず、柱３の断面欠損が少なくなるので、第一ピン孔１１に第一ドリフトピン８を挿入してより強固に連結体６ａを固定することができる。
【００３０】
連結体６ａは、円筒状の鋼製パイプである。連結体６ａは図３に示すように、外周面の一端側に第一連結孔１２ａが貫通して形成されており、他端側に第二連結孔１３ａが貫通して形成されている。また、第一連結孔１２ａと第二連結孔１３ａの間には第一連結孔１２ａ及び第二連結孔１３ａよりも小さい操作孔１４が貫通して形成されている。第一連結孔１２ａ及び第二連結孔１３ａは互いに平行に形成されており、操作孔１４は上下方向から見て第一連結孔１２ａ及び第二連結孔１３ａに対して垂直に形成されている。連結体６ａの長さは、図２（Ｂ）に示すように、柱３に形成された挿入孔５の深さと同じ長さであるか、又は挿入孔５の深さよりも短く形成されており、挿入孔５に連結体６ａの全体が挿入可能な長さとなっている。連結体６ａは図２（Ａ）（Ｂ）に示すように、挿入孔５の内部を摺動可能であり、少なくとも連結体６ａはその全体が挿入孔５に挿入された状態から一部が挿入孔５から突出する状態まで移動することができる。
【００３１】
水平材４ａは、前述のように木製の梁、桁、土台であり、柱３の柱頭に接合する上側の水平材４ａは梁又は桁である。上側の水平材４ａはその下面に挿入孔５から連続する固定孔７が設けられている。固定孔７は挿入孔５と同一の径の円柱状に穿たれており、図２（Ｂ）に示すように連結体６ａの挿入孔５から突出した部分が挿入される。水平材４ａの一方の側面から他方の側面には第二ピン孔１５ａが固定孔７に直交するように当該水平材４ａを貫通して形成されている。
【００３２】
柱頭の柱端部の接合構造１ａは、図２（Ｂ）及び図３に示すように、挿入孔５に連結体６ａの一部を挿入され、第一ドリフトピン８を第一ピン孔１１と第一連結孔１２ａに挿入した状態で、柱端部に連結体６ａが固定されており、固定孔７に連結体６ａの挿入孔５から突出した部分が挿入されて、第二ドリフトピン９を第二ピン孔１５ａと第二連結孔１３ａに挿入した状態で、水平材４ａに連結体６ａが固定されることにより柱端部を水平材４ａに接合している。
【００３３】
また、柱３の柱脚の柱端部の接合構造１ａは、図４及び図５に示すように、上述した柱頭の柱端部の接合構造１ａを上下逆にした構造であるので、詳細な説明は省略する。柱脚の柱端部は、下端面の中央から上方向へ向かって挿入孔５が形成されているとともに、下端面から上方向へスリット１０が形成されている。そして、一方の側面から他方の側面に貫通する第一ピン孔１１が挿入孔５に直交するように形成されている。第一ピン孔１１は柱３の長さ方向から見てスリット１０に直交する。
【００３４】
連結体６ａは、上述の柱頭における柱端部の接合構造１ａのものと同じ形状であり、第一連結孔１２ａ、第二連結孔１３ａ、操作孔１４が貫通して形成されている。図４の（Ａ）（Ｂ）に示すように、連結体６ａは挿入孔５の内部を摺動して、少なくとも連結体６ａはその全体が挿入孔５に挿入された状態から一部が挿入孔５から突出する状態まで移動することができる。
【００３５】
水平材４ａは、木製の梁、桁、土台であり、その上面に挿入孔５から連続する固定孔７が設けられており、図４（Ｂ）に示すように連結体６ａの挿入孔５から突出した部分が挿入されている。柱端部の接合構造１ａは、図４（Ｂ）及び図５に示すように、挿入孔５に連結体６ａの一部を挿入され、第一ドリフトピン８を第一ピン孔１１と第一連結孔１２ａに挿入した状態で、柱端部に連結体６ａが固定されており、固定孔７に連結体６ａの挿入孔５から突出した部分が挿入されて、第二ドリフトピン９を第二ピン孔１５ａと第二連結孔１３ａに挿入した状態で、水平材４ａに連結体６ａが固定されることにより柱端部を水平材４ａに接合している。
【００３６】
柱の固定構造２は、上述のように上下１対の水平材４ａの間に設けられる柱の固定構造２であって、柱頭及び柱脚の接合構造が上述の柱端部の接合構造１ａにより接合されている。
【００３７】
以上のような柱の固定構造２及び柱端部の接合構造１ａを施工する際には、まず、図２（Ａ）及び図４（Ａ）に示すように柱３の上下の端面に形成されている挿入孔５に連結体６ａの全体をそれぞれ挿入する。連結体６ａの外周径は挿入孔５の内径とほぼ等しく、連結体６ａは挿入孔５との摩擦抵抗によってその全体が挿入された状態が維持される。
【００３８】
そして、次に柱３を鉛直に立てた状態で、図６に示すように、上下一対の水平材４ａの間に挿入する。柱３の長さは上下一対の水平材４ａの間の距離と等しい。このとき連結体６ａはその全体が挿入孔５に挿入されているので、上下の水平材４ａや例えば図示しないサッシュや外装材などのその他の部材に連結体６ａが干渉すること無く水平材４ａの間に柱３を配置することができる。
【００３９】
次に、図７から図９に示すように、スリット１０に長細い工具１６を挿入し、連結体６ａに設けられた操作孔１４に当該工具１６を挿入する。工具１６はスリット１０及び操作孔１４に挿入可能な細さで、且つ、連結体６ａを挿入孔５内で摺動させることができる強度を有していれば良い。そして次に、図９及び図１０に示すように、工具１６を柱３の長さ方向で水平材４ａに接近する方向に移動させることにより、連結体６ａを挿入孔５から突出させ、当該連結体６ａの突出した部分を固定孔７に挿入する。ここで、連結体６ａの第一連結孔１２ａ及び第二連結孔１３ａはそれぞれ柱３及び水平材４ａの第一ピン孔１１及び第二ピン孔１５ａに整合するように調整されるが、仮に若干ずれた場合であっても、工具１６を操作して微調整することができる。
【００４０】
その後、第一ドリフトピン８を第一ピン孔１１を通して連結体６ａに設けられた第一連結孔１２ａに挿入するとともに、第二ドリフトピン９を第二ピン孔１５ａを通して連結体６ａに設けられた第二連結孔１３ａに挿入することで、柱３及び水平材４ａをそれぞれ連結体６ａに固定し、上下の柱端部をそれぞれ連結体６ａを介して上下の水平材４ａに接合する。
【００４１】
このように、本実施形態の柱端部の接合構造１ａ及び柱端部の接合方法によると、柱３を水平材４ａの間に配置するときには連結体６ａが挿入孔５から突出しない状態で他の部材や水平材４ａと干渉することなく柱３を配置することができる。とくに、上下に既設の水平材４ａが設置された位置に柱３を増設する場合に、水平材４ａを外すことなく簡単に施工することができる。また、スリット１０に細長い工具１６を差し込んで連結体６ａを操作することで、簡単に連結体６ａを挿入孔５から突出させることができるとともに、連結体６ａの位置を微調整することもできる。第一ドリフトピン８を挿入する第一ピン孔１１は柱３の長さ方向から見てスリット１０と直交し、スリット１０の柱３の中央側の縁と接する位置、又は当該縁よりも柱３の中央側の位置であるので、柱３の断面欠損を最小限にすることができ、柱端部の接合耐力を高めることができる。
【００４２】
〔第二実施形態〕
次に本発明の柱端部の接合構造１ｂ及び柱端部の接合方法の第二実施形態について、図１２から図１４を参照しつつ説明する。なお、第一実施形態の柱端部の接合構造１ａと同様の構成については、同一の符号を付して説明を省略する。本実施形態の柱端部の接合構造１ｂは、木製の水平材４ｂの下に木製の柱の柱頭部を接合するとともに、水平材４ｂの上に木製の柱の柱脚部を接合するものである。水平材４ｂは梁又は桁である。
【００４３】
柱端部の接合構造１ｂは、図１２及び図１４に示すように、挿入孔５を有する第一柱３ａと、挿入孔５に挿入される連結体６ｂと、第一柱３ａと連結体６ｂとを固定する第一ドリフトピン８と、鉛直な貫通孔１７を有する水平材４ｂと、連結体６ｂを水平材４ｂに固定する第二ドリフトピン９と、受け孔１８を有する第二柱３ｂと、連結体６ｂを第二柱３ｂに固定する第三ドリフトピン１９と、を備えている。
【００４４】
第一柱３ａは、第一実施形態における柱３とほとんど同様の構成である。第一柱３ａの水平材４ｂに接合する側の端面の中央から柱の長さ方向へ向かって円柱状に穿がたれて延びる挿入孔５が形成されており、端面から第一柱３ａの長さ方向へは、平板状の溝であるスリット１０が形成されている。スリット１０は、連結体６ｂを突出させた場合の突出長さ以上の深さに形成されている。また、第一柱３ａには一方の側面から他方の側面に貫通する第一ピン孔１１が形成されており、第一ピン孔１１は挿入孔５に直交するように形成されている。また、第一ピン孔１１は第一柱３ａの長さ方向から見てスリット１０に直交するように形成されている。
【００４５】
連結体６ｂは、円筒状の鋼製パイプであり、図１２及び図１３に示すように、外周面の一端側に第一連結孔１２ｂが貫通して形成されており、他端側に第三連結孔２０が貫通して形成されている。また、第一連結孔１２ｂと第三連結孔２０との間には第二連結孔１３ｂが貫通して形成されている。そして、第一連結孔１２ｂと第二連結孔１３ｂとの間には、第一連結孔１２ｂ、第二連結孔１３ｂ及び第三連結孔２０よりも小さい操作孔１４が貫通して形成されている。第一連結孔１２ｂ、第二連結孔１３ｂ、及び第三連結孔２０は互いに平行に形成されており、操作孔１４は上下方向から見てこれら第一連結孔１２ｂ、第二連結孔１３ｂ、第三連結孔２０に対して垂直に形成されている。連結体６ｂの長さは、図１３に示すように、第一柱３ａに形成された挿入孔５の深さと同じ長さであるか、又は挿入孔５の深さよりも短く形成されており、挿入孔５に連結体６ｂの全体が挿入可能な長さとなっている。また、連結体６ｂの長さは、図１４に示すように、水平材４ｂを貫通して上下に突出する長さとなっている。連結体６ｂは図１３及び図１４に示すように挿入孔５の内部を摺動可能であり、少なくとも連結体６ｂはその全体が挿入孔５に挿入された状態から一部が挿入孔５から突出する状態まで移動することができる。
【００４６】
水平材４ｂは、挿入孔５から連続する貫通孔１７が鉛直方向に貫通して設けられている。貫通孔１７は挿入孔５と同一の径の円柱状に穿たれており、図１４に示すように連結体６ｂの挿入孔５から突出した部分が貫通している。水平材４ｂの一方の側面から他方の側面には第二ピン孔１５ｂが貫通孔１７に直交するように当該水平材４ｂを貫通して形成されている。
【００４７】
第二柱３ｂは、貫通孔１７から連続する受け孔１８が設けられている。受け孔１８は挿入孔５及び貫通孔１７と同一の径の円柱状に穿たれており、図１４に示すように連結体６ｂの貫通孔１７からさらに突出した部分が挿入される。第二柱３ｂの一方の側面から他方の側面には第三ピン孔２１が受け孔１８に直交するように当該第二柱３ｂを貫通して形成されている。
【００４８】
本実施形態の柱端部の接合構造１ｂは、図１４に示すように、挿入孔５に連結体６ｂの一部を挿入され、第一ドリフトピン８を第一ピン孔１１と第一連結孔１２に挿入した状態で、柱端部に連結体６ｂが固定されており、貫通孔１７に連結体６ｂの挿入孔５から突出した部分が貫通し、第二ドリフトピン９を第二ピン孔１５ｂと第二連結孔１３ｂに挿入した状態で、水平材４ｂが連結体６ｂに固定され、さらに受け孔１８に連結体６ｂの貫通孔１７から突出した部分が挿入され、第三ドリフトピン１９を第三ピン孔２１と第三連結孔２０に挿入した状態で、第二柱３ｂが連結体６ｂに固定されることにより第一柱３ａ及び第二柱３ｂの柱端部を水平材４ｂに接合している。
【００４９】
なお、本実施形態の柱端部の接合構造１ｂは、上下を逆転させて、第一柱３ａを上に第二柱３ｂを下に配置したものであっても良い。
【００５０】
本実施形態の柱端部の接合構造１ｂを施工する柱端部の施工方法は、まず、第一柱３ａの端面に形成されている挿入孔５に連結体６ｂの全体を挿入する。連結体６ｂは挿入孔５との摩擦抵抗によってその全体が挿入された状態が維持される。次に、水平材４ｂの上下の接合箇所に第一柱３ａの挿入孔５が形成された端面及び第二柱３ｂの受け孔１８が形成された端面が当接するようにそれぞれ配置する。このとき第一柱３ａの挿入孔５に連結体６ｂの全体が挿入されているので、水平材４ｂや例えばサッシュや外装材などの他の部材に連結体６ｂが干渉すること無く水平材４ｂの接合箇所に第一柱３ａを配置することができる。
【００５１】
次に、スリット１０に長細い工具１６を挿入し、連結体６ｂに設けられた操作孔１４に当該工具１６を挿入する。そして次に、工具１６を柱の長さ方向で水平材４ｂに接近する方向に移動させることにより、連結体６ｂを挿入孔５から突出させ、当該連結体６ｂの突出した部分を水平材４ｂの貫通孔１７に貫通させるとともに、さらに貫通孔１７から第二柱３ｂ側に突出した部分を受け孔１８に挿入する。連結体６ｂの第一連結孔１２、第二連結孔１３ｂ、及び第三連結孔２０はそれぞれ第一柱３ａ、水平材４ｂ、及び第二柱３ｂの第一ピン孔１１、第二ピン孔１５ｂ、及び第三ピン孔２１に整合するように調整されるが、仮に若干ずれた場合であっても、工具１６を操作して微調整することができる。
【００５２】
その後、第一ドリフトピン８を第一ピン孔１１を通して連結体６ｂに設けられた第一連結孔１２に挿入し、第二ドリフトピン９を第二ピン孔１５ｂを通して連結体６ｂに設けられた第二連結孔１３ｂに挿入し、第三ドリフトピン１９を第三ピン孔２１を通して連結体６ｂに設けられた第三連結孔２０に挿入することで、第一柱３ａ、水平材４ｂ、及び第二柱３ｂをそれぞれ連結体６ｂに固定し、水平材４ｂに第一柱３ａ及び第二柱３ｂの柱端部を接合する。
【００５３】
このように、本実施形態の柱端部の接合構造１ｂ及び柱端部の接合方法によると、第一柱３ａを水平材４ｂの接合箇所に配置する際には、連結体６ｂが挿入孔５から突出しない状態で他の部材や水平材４ｂと干渉することなく第一柱３ａを配置することができる。また、スリット１０に細長い工具１６を差し込んで連結体６ｂを操作することで、簡単に連結体６ｂを挿入孔５から突出させて、第一柱３ａ及び第二柱３ｂを水平材４ｂに接合することができる。スリット１０に細長い工具１６を差し込んで連結体６ｂを操作する構成としたので、工具１６を微調整することで連結体６ｂの位置を微調整することもできる。特に本実施形態の柱端部の接合構造１ｂ及び柱端部の接合方法によると、一本の連結体６ｂで、第一柱３ａ及び第二柱３ｂを水平材４ｂに接合することができ簡単な構成とすることができる。また、第一柱３ａ及び水平材４ｂの接合と第二柱３ｂ及び水平材４ｂの接合を別々に行う場合に比べて施工工程を削減し施工省力化を図ることができる。
【００５４】
なお、第二実施形態における柱端部の接合構造１ｂ及び柱端部の接合方法は、水平材４ｂに第二ピン孔１５ｂが形成されているとともに、連結体６ｂに第二連結孔１３ｂが形成されており、第二ドリフトピン９を第二ピン孔１５ｂを通して第二連結孔１３ｂに挿入することで、水平材４ｂと連結体６ｂとを強固に固定し、水平材４ｂと第一柱３ａ及び第二柱３ｂとの接合耐力を高めているが、第二ピン孔１５ｂ、第二連結孔１３ｂ、及び第二ドリフトピン９が設けられていない構成であってもよい。このように構成したとしても、第一柱３ａの第一ピン孔１１を通して連結体６ｂの第一連結孔１２ｂに第一ドリフトピン８を挿入し、第二柱３ｂの第三ピン孔２１を通して連結体６ｂの第三連結孔２０に第三ドリフトピン１９を挿入することで、水平材４ｂの貫通孔１７に挿入された連結体６ｂの上下の突出部分が、第一柱３ａ及び第二柱３ｂに強固に固定されることになるので、水平材４ｂも第一柱３ａ及び第二柱３ｂに挟まれた状態で固定されることとなる。
【００５５】
なお、本発明の実施の形態は第一実施形態及び第二実施形態に限ることなく、本発明の思想の範囲を逸脱しない範囲で適宜変更することができることは云うまでもない。
【産業上の利用可能性】
【００５６】
本発明に係る柱端部の接合構造１ａ，１ｂ、柱端部の接合方法、及び柱の固定方法は、住宅の水平構造材に柱を接合する構造及び方法として好適に用いることができる。
【符号の説明】
【００５７】
１ａ，１ｂ    柱端部の接合構造
２      柱の固定構造
３      柱
３ａ    第一柱
３ｂ    第二柱
４ａ，４ｂ    水平材
５      挿入孔
６ａ，６ｂ    連結体
７      固定孔
８      第一ドリフトピン
９      第二ドリフトピン
１０    スリット
１１    第一ピン孔
１２ａ，１２ｂ    第一連結孔
１３ａ，１３ｂ    第二連結孔
１４    操作孔
１５    第二ピン孔
１６    工具
１７    貫通孔
１８    受け孔
１９    第三ドリフトピン
２０    第三連結孔
２１    第三ピン孔
【図１】
2018162582.tif 000003
【図２】
2018162582.tif 000004
【図３】
2018162582.tif 000005
【図４】
2018162582.tif 000006
【図５】
2018162582.tif 000007
【図６】
2018162582.tif 000008
【図７】
2018162582.tif 000009
【図８】
2018162582.tif 000010
【図９】
2018162582.tif 000011
【図１０】
2018162582.tif 000012
【図１１】
2018162582.tif 000013
【図１２】
2018162582.tif 000014
【図１３】
2018162582.tif 000015
【図１４】
2018162582.tif 000016
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
端面に長さ方向へ延びる挿入孔と当該挿入孔に直交する第一ピン孔とを有する柱と、
前記挿入孔に全体が挿入可能な長さであり、前記挿入孔から一部が突出した状態で固定された連結体と、
前記第一ピン孔に挿入された状態で前記連結体を当該柱に固定する第一ドリフトピンと、
前記挿入孔から突出した前記連結体が挿入された固定孔と、前記固定孔に直交する第二ピン孔とを有する水平材と、
前記第二ピン孔に挿入された状態で前記連結体を当該水平材に固定する第二ドリフトピンと、を備え、
前記柱には端面から長さ方向へ向かって前記連結体の突出長さ以上のスリットが形成されており、当該スリットは前記柱の長さ方向から見て前記第一ドリフトピンに直交するように形成され、
前記第一ドリフトピンは前記スリットの前記柱の長さ方向における中央側の縁と接する、又は当該縁よりも前記柱の長さ方向における中央側に配置されることを特徴とする柱端部の接合構造。
【請求項２】
上下１対の水平材の間に設けられる柱の固定構造であって、
柱頭及び柱脚の接合構造が請求項１に記載の柱端部の接合構造であることを特徴とする柱の固定構造。
【請求項３】
端面に長さ方向へ延びる挿入孔と当該挿入孔に直交する第一ピン孔とが形成された第一柱と、
前記挿入孔に全体が挿入可能な長さであり、前記挿入孔から一部が突出した状態で固定された連結体と、
前記第一ピン孔に挿入された状態で前記連結体を当該第一柱に固定する第一ドリフトピンと、
前記挿入孔から突出した前記連結体が貫通し、当該連結体の一部がさらに突出する貫通孔を有する水平材と、
前記貫通孔から突出する前記連結体の端部を挿入する受け孔と、前記受け孔に直交する第三ピン孔とを有する第二柱と、
前記第三ピン孔に挿入された状態で前記連結体を当該第二柱に固定する第三ドリフトピンと、
を備え、
前記第一柱には端面から長さ方向へ向かって前記連結体の前記挿入孔からの突出長さ以上のスリットが形成されており、当該スリットは前記第一柱の長さ方向から見て前記第一ドリフトピンに直交するように形成され、
前記第一ドリフトピンは前記スリットの前記第一柱の長さ方向における中央側の縁と接する位置に配置されることを特徴とする柱端部の接合構造。
【請求項４】
前記水平材は前記貫通孔に直交する第二ピン孔をさらに有し、
前記第二ピン孔に挿入された状態で前記連結体を当該水平材に固定する第二ドリフトピンをさらに備えることを特徴とする請求項３に記載の柱端部の接合構造。
【請求項５】
端面から長さ方向へ延びる挿入孔と、端面から長さ方向へ向かって前記挿入孔と側面とを繋ぐように形成されるスリットと、前記挿入孔に直交するとともに鉛直方向から見てスリットに直交するように形成された第一ピン孔とを有する柱を、
前記柱との接合位置に鉛直方向に掘られた固定孔が形成されるとともに、前記固定孔に直交する第二ピン孔が形成される水平材に接合する柱端部の接合方法であって、
長手形状の連結体の全体を前記挿入孔に挿入する工程と、
前記水平材の前記柱との接合位置に前記柱の端部を配置する工程と、
前記スリットから長細い工具を挿入させて、前記連結体に設けられた操作孔に当該工具を挿入する工程と、
前記工具を前記柱の長さ方向に移動させることにより、前記連結体を前記挿入孔から突出させるとともに前記水平材の前記固定孔に前記連結体の突出部分を挿入する工程と、
第一ドリフトピンを前記第一ピン孔を通して前記連結体に設けられた第一連結孔に挿入するとともに、第二ドリフトピンを前記第二ピン孔を通して前記連結体に設けられた第二連結孔に挿入する工程と、
を備え、
前記第一ドリフトピンは前記スリットの前記柱の長さ方向における中央側の縁と接する、又は当該縁よりも前記柱の長さ方向における中央側に配置されることを特徴とする柱端部の接合方法。
【請求項６】
端面から長さ方向へ延びる挿入孔と、端面から長さ方向へ向かって前記挿入孔と側面とを繋ぐように形成されるスリットと、前記挿入孔に直交するとともに鉛直方向から見てスリットに直交するように形成された第一ピン孔とを有する第一柱、
及び、端面から長さ方向へ延びる受け孔を有するとともに当該受け孔に直交する第三ピン孔を有する第二柱を、
鉛直な貫通孔が形成される水平材の上下に接合する柱端部の接合方法であって、
長手形状の連結体の全体を前記挿入孔に挿入する工程と、
前記水平材の前記第一柱及び前記第二柱との接合位置にそれぞれ当該第一柱及び当該第二柱の端部を配置する工程と、
前記スリットから長細い工具を挿入させて、前記連結体に設けられた操作孔に当該工具を挿入する工程と、
前記工具を前記第一柱の長さ方向に移動させることにより、前記連結体を前記挿入孔から突出させ、前記水平材の前記貫通孔を通して、前記第二柱の受け孔に前記連結体の突出部分を挿入する工程と、
第一ドリフトピンを前記第一ピン孔を通して前記連結体に設けられた第一連結孔に挿入し、第三ドリフトピンを前記第三ピン孔を通して前記連結体に設けられた第三連結孔に挿入する工程と、
を備え、
前記第一ドリフトピンは前記スリットの前記第一柱の長さ方向における中央側の縁と接する位置に配置されることを特徴とする柱端部の接合方法。
【請求項７】
前記水平材は前記貫通孔に直交する第二ピン孔をさらに有しており、
第二ドリフトピンを前記第二ピン孔を通して前記連結体に設けられた第二連結孔に挿入する工程をさらに備えることを特徴とする請求項６に記載の柱端部の接合方法。
【手続補正２】
【補正対象書類名】明細書
【補正対象項目名】０００８
【補正方法】変更
【補正の内容】
【０００８】
本発明の柱端部の接合構造は、端面に長さ方向へ延びる挿入孔と当該挿入孔に直交する第一ピン孔とを有する柱と、前記挿入孔に全体が挿入可能な長さであり、前記挿入孔から一部が突出した状態で固定された連結体と、前記第一ピン孔に挿入された状態で前記連結体を当該柱に固定する第一ドリフトピンと、前記挿入孔から突出した前記連結体が挿入された固定孔と、前記固定孔に直交する第二ピン孔とを有する水平材と、前記第二ピン孔に挿入された状態で前記連結体を当該水平材に固定する第二ドリフトピンと、を備え、前記柱には端面から長さ方向へ向かって前記連結体の突出長さ以上のスリットが形成されており、当該スリットは前記柱の長さ方向から見て前記第一ドリフトピンに直交するように形成され、前記第一ドリフトピンは前記スリットの前記柱の長さ方向における中央側の縁と接する、又は当該縁よりも前記柱の長さ方向における中央側に配置されることを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】変更
【補正の内容】
【００１１】
本発明の柱端部の接合構造は、端面に長さ方向へ延びる挿入孔と当該挿入孔に直交する第一ピン孔とが形成された第一柱と、前記挿入孔に全体が挿入可能な長さであり、前記挿入孔から一部が突出した状態で固定された連結体と、前記第一ピン孔に挿入された状態で前記連結体を当該第一柱に固定する第一ドリフトピンと、前記挿入孔から突出した前記連結体が貫通し、当該連結体の一部がさらに突出する貫通孔を有する水平材と、前記貫通孔から突出する前記連結体の端部を挿入する受け孔と、前記受け孔に直交する第三ピン孔とを有する第二柱と、前記第三ピン孔に挿入された状態で前記連結体を当該第二柱に固定する第三ドリフトピンと、を備え、前記第一柱には端面から長さ方向へ向かって前記連結体の前記挿入孔からの突出長さ以上のスリットが形成されており、当該スリットは前記第一柱の長さ方向から見て前記第一ドリフトピンに直交するように形成され、前記第一ドリフトピンは前記スリットの前記第一柱の長さ方向における中央側の縁と接する位置に配置されることを特徴としている。
【手続補正５】
【補正対象書類名】明細書
【補正対象項目名】００１３
【補正方法】変更
【補正の内容】
【００１３】
本発明の柱端部の接合方法は、端面から長さ方向へ延びる挿入孔と、端面から長さ方向へ向かって前記挿入孔と側面とを繋ぐように形成されるスリットと、前記挿入孔に直交するとともに鉛直方向から見てスリットに直交するように形成された第一ピン孔とを有する柱を、前記柱との接合位置に鉛直方向に掘られた固定孔が形成されるとともに、前記固定孔に直交する第二ピン孔が形成される水平材に接合する柱端部の接合方法であって、長手形状の連結体の全体を前記挿入孔に挿入する工程と、前記水平材の前記柱との接合位置に前記柱の端部を配置する工程と、前記スリットから長細い工具を挿入させて、前記連結体に設けられた操作孔に当該工具を挿入する工程と、前記工具を前記柱の長さ方向に移動させることにより、前記連結体を前記挿入孔から突出させるとともに前記水平材の前記固定孔に前記連結体の突出部分を挿入する工程と、第一ドリフトピンを前記第一ピン孔を通して前記連結体に設けられた第一連結孔に挿入するとともに、第二ドリフトピンを前記第二ピン孔を通して前記連結体に設けられた第二連結孔に挿入する工程と、を備え、前記第一ドリフトピンは前記スリットの前記柱の長さ方向における中央側の縁と接する、又は当該縁よりも前記柱の長さ方向における中央側に配置されることを特徴としている。
【手続補正６】
【補正対象書類名】明細書
【補正対象項目名】００１４
【補正方法】変更
【補正の内容】
【００１４】
本発明の柱端部の接合方法は、端面から長さ方向へ延びる挿入孔と、端面から長さ方向へ向かって前記挿入孔と側面とを繋ぐように形成されるスリットと、前記挿入孔に直交するとともに鉛直方向から見てスリットに直交するように形成された第一ピン孔とを有する第一柱、及び、端面から長さ方向へ延びる受け孔を有するとともに当該受け孔に直交する第三ピン孔を有する第二柱を、鉛直な貫通孔が形成される水平材の上下に接合する柱端部の接合方法であって、長手形状の連結体の全体を前記挿入孔に挿入する工程と、前記水平材の前記第一柱及び前記第二柱との接合位置にそれぞれ当該第一柱及び当該第二柱の端部を配置する工程と、前記スリットから長細い工具を挿入させて、前記連結体に設けられた操作孔に当該工具を挿入する工程と、前記工具を前記第一柱の長さ方向に移動させることにより、前記連結体を前記挿入孔から突出させ、前記水平材の前記貫通孔を通して、前記第二柱の受け孔に前記連結体の突出部分を挿入する工程と、第一ドリフトピンを前記第一ピン孔を通して前記連結体に設けられた第一連結孔に挿入し、第三ドリフトピンを前記第三ピン孔を通して前記連結体に設けられた第三連結孔に挿入する工程と、を備え、前記第一ドリフトピンは前記スリットの前記第一柱の長さ方向における中央側の縁と接する位置に配置されることを特徴としている。